(57)【要約】【課題】内容物（すなわち、コンタクトレンズおよびコンタクトレンズ溶液）への容易なアクセスを一貫して提供する眼科用レンズパッケージを提供する。【解決手段】眼科用レンズパッケージは、取り外し可能に互いに付着する一対のシェル部材と、これらのシェル部材の間に挟まれる一対の吸収性部材と、を含む。これらのシェル部材は、それらの部材の端部のうちの１つにおいてヒンジによって相互に接続され、かつ、シェル部材が相互に付着する閉位置と、開位置との間で、ヒンジの周囲で互いに対して旋回可能である。【選択図】図１
2008535002.tif 000002
【特許請求の範囲】
【請求項１】
眼科用レンズパッケージにおいて、
第１の端部および第２の端部を有する第１のシェル部材と、
第１の端部および第２の端部を有する第２のシェル部材であって、
前記第１のシェル部材および前記第２のシェル部材は、閉位置と開位置との間で互いに対して旋回可能であり、前記閉位置において、前記第１のシェル部材および前記第２のシェル部材は、取り外し可能に互いに付着し、前記開位置において、前記第１のシェル部材および前記第２のシェル部材は、互いから離れるように旋回される、
第２のシェル部材と、
前記第１の部材および前記第２の部材をそれら部材の前記第１の端部において接続するための接続手段と、
前記第１のシェル部材および前記第２のシェル部材がそれら部材の前記閉位置にある間に前記第１のシェル部材と前記第２のシェル部材との間に挿入される容器であって、前記容器は、眼科用レンズおよび所与の量の溶液を受容し、かつ収容するように構成される、容器と、
を含む、パッケージ。
【請求項２】
請求項１に記載のパッケージにおいて、
前記第１のシェル部材の前記第１の端部は、前記第１のシェル部材の前記第２の端部の反対側に位置し、
前記第２のシェル部材の前記第１の端部は、前記第２のシェル部材の前記第２の端部の反対側に位置する、パッケージ。
【請求項３】
請求項１に記載のパッケージにおいて、
前記第１のシェル部材および前記第２のシェル部材を互いから分離し、かつ、前記第１のシェル部材および前記第２のシェル部材をそれら部材の前記閉位置からそれら部材の前記開位置へと旋回させるための手段、
をさらに含む、パッケージ。
【請求項４】
請求項３に記載のパッケージにおいて、
前記分離手段は、
前記第１のシェル部材の第２の端部から延びる第１のタブと、
前記第２のシェル部材の第２の端部から延びる第２のタブと、
を含み、
前記第１および第２のタブは、前記第１のシェル部材および前記第２のシェル部材がそれら部材の前記閉位置にある際に、相互に並置される、パッケージ。
【請求項５】
請求項４に記載のパッケージにおいて、
前記第１のタブの露出面から突出する第１の複数の隆起部と、
前記第２のタブの露出面から突出する第２の複数の隆起部と、
をさらに含み、
前記第１の複数の隆起部および前記第２の複数の隆起部は、並置された前記タブを手で握ることを可能にするようにサイズ決めされ、かつ成形される、パッケージ。
【請求項６】
請求項５に記載のパッケージにおいて、
前記第１のタブは、前記第１のタブの前記露出面の反対側にある前記第１のタブの内面にわたって延びる少なくとも１つの帯部を含み、
前記第２のタブは、前記第２のタブの前記露出面の反対側にある前記第２のタブの内面にわたって延びる少なくとも１つの溝部を含み、
前記少なくとも１つの帯部は、前記第１のタブおよび前記第２のタブが相互に並置された際に、前記少なくとも１つの溝部と互いに噛み合うようにサイズ決めされ、成形され、かつ位置付けられる、パッケージ。
【請求項７】
請求項１に記載のパッケージにおいて、
前記接続手段は、前記第１のシェル部材および前記第２のシェル部材と一体に形成されたヒンジを含む、パッケージ。
【請求項８】
請求項１に記載のパッケージにおいて、
前記第１のシェル部材および前記第２のシェル部材はそれぞれ、
キャビティと、
前記キャビティの外辺の周囲に延びる環状フランジと、
を含み、
前記第１のシェル部材および前記第２のシェル部材は、前記フランジにおいて、取り外し可能に互いに付着される、パッケージ。
【請求項９】
請求項８に記載のパッケージにおいて、
前記容器は、
前記第１のシェル部材内に嵌められた第１の吸収性部材と、
前記第２のシェル部材内に嵌められた第２の吸収性部材と、
を含み、
前記第１の吸収性部材および前記第２の吸収性部材はそれぞれ、陥凹部を有し、
前記陥凹部は、前記第１のシェル部材および前記第２のシェル部材がそれら部材の前記閉位置にある際に、眼科用レンズおよび所与の量の溶液を収容するためのチャンバを形成する、パッケージ。
【請求項１０】
請求項９に記載のパッケージにおいて、
前記第１の吸収性部材は、前記第１のシェル部材のキャビティの内面内に嵌められ、かつ前記内面に取り付けられる、パッケージ。
【請求項１１】
請求項９に記載のパッケージにおいて、
前記第２の吸収性部材は、前記第２のシェル部材のキャビティの内面内に嵌められ、かつ前記内面に取り付けられる、パッケージ。
【請求項１２】
請求項９に記載のパッケージにおいて、
前記第１の吸収性部材は、前記第１のシェル部材のキャビティの内面内に嵌められ、かつ前記内面に取り付けられ、
前記第２の吸収性部材は、前記第２のシェル部材のキャビティの内面内に嵌められ、かつ前記内面に取り付けられる、パッケージ。
【請求項１３】
請求項８に記載のパッケージにおいて、
前記容器は、
吸収性部材であって、
前記第１のシェル部材の前記キャビティに取り付けられた第１の表面、
前記第２のシェル部材の前記キャビティに取り付けられた第２の表面、ならびに、
前記第１のシェル部材および前記第２のシェル部材がそれら部材の前記閉位置にある際に、眼科用レンズおよび所与の量の溶液を収容するためのチャンバ、
を有し、
前記吸収性部材は、前記第１のシェル部材および前記第２のシェル部材がそれら部材の前記閉位置からそれら部材の前記開位置へと旋回すると、裂けることができ、これにより、前記チャンバを開口し、前記眼科用レンズを露出させる、
吸収性部材、
を含む、パッケージ。
【請求項１４】
請求項１２に記載のパッケージにおいて、
コンタクトレンズと、
約５００μＬ〜約１５００μＬの溶液と、
をさらに含む、パッケージ。
【請求項１５】
請求項１４に記載のパッケージにおいて、
前記第１のシェル部材および前記第２のシェル部材を互いから分離し、かつ、前記第１のシェル部材および前記第２のシェル部材をそれら部材の前記閉位置からそれら部材の前記開位置へと旋回させる手段、
をさらに含む、パッケージ。
【請求項１６】
請求項１５に記載のパッケージにおいて、
前記分離手段は、
前記第１のシェル部材の第２の端部から延びる第１のタブと、
前記第２のシェル部材の第２の端部から延びる第２のタブと、
を含み、
前記第１のタブおよび前記第２のタブは、前記第１のシェル部材および前記第２のシェル部材がそれら部材の前記閉位置にある際に、相互に並置される、パッケージ。
【請求項１７】
請求項１６に記載のパッケージにおいて、
前記第１のタブの露出面から突出する第１の複数の隆起部と、
前記第２のタブの露出面から突出する第２の複数の隆起部と、
をさらに含み、
前記第１の複数の隆起部および前記第２の複数の隆起部は、並置された前記タブを手で握ることを可能にするようにサイズ決めされ、かつ成形される、パッケージ。
【請求項１８】
請求項１７に記載のパッケージにおいて、
前記第１のタブは、前記第１のタブの前記露出面の反対側にある前記第１のタブの内面にわたって延びる少なくとも１つの帯部を含み、
前記第２のタブは、前記第２のタブの前記露出面の反対側にある前記第２のタブの内面にわたって延びる少なくとも１つの溝部を含み、
前記少なくとも１つの帯部は、前記第１のタブおよび前記第２のタブが相互に並置された際に、前記少なくとも１つの溝部と互いに噛み合うようにサイズ決めされ、成形され、かつ位置付けられる、パッケージ。
【請求項１９】
請求項１２に記載のパッケージにおいて、
前記接続手段は、前記第１のシェル部材および前記第２のシェル部材と一体に形成されたヒンジを含む、パッケージ。
【請求項２０】
請求項１２に記載のパッケージにおいて、
前記第１のシェル部材および前記第２のシェル部材はそれぞれ、
キャビティと、
前記キャビティの外辺の周囲に延びる環状フランジと、
を含み、
前記第１のシェル部材および前記第２のシェル部材は、前記フランジにおいて、取り外し可能に互いに付着される、パッケージ。
【発明の詳細な説明】
【開示の内容】
【０００１】
〔発明の分野〕
本発明は、眼科用レンズパッケージに関し、より詳細には、その内容物へのアクセスのしやすさを改善するように構成された眼科用レンズパッケージに関する。
【０００２】
〔発明の背景〕
コンタクトレンズ、眼内レンズ、およびオーバーレイレンズを含む、眼科用レンズ、特に使い捨て型コンタクトレンズは、「ブリスターパック（blister packs）」中に慣例的に包装されてきた。一般的に、ブリスターパックは、硬質プラスチック（例えば、ポリプロピレン）と、眼科用レンズを受け入れる凹状容器と、典型的には積層材料（例えば、金属ホイル）で作製される可撓性カバーとを含む。この可撓性カバーは、内部にレンズを封入する容器に取り外し可能に取り付けられる。各ブリスターパック内には、単一の眼科用レンズと、前記眼科用レンズの乾燥を回避しかつ前記眼科用レンズをすぐに使用できる状態に維持するための十分な量のコンタクトレンズ溶液とが有る。従来のブリスターパックにより、眼科用レンズの輸送および保存のための便利な手段が多数のユーザに提供されてきたが、一部のユーザは、ブリスターパッケージのカバー部位を掴むのに苦労しており、そのプロセスによっていらだちを感じる。このようないらだちは、それらのユーザが、パッケージを開けるために鋭利な器具を用いることを助長することがあり、こうすることにより、前記ユーザおよび前記レンズ双方に損傷を与える可能性がある。よって、その内容物（すなわち、コンタクトレンズおよびコンタクトレンズ溶液）への容易なアクセスを一貫して提供する眼科用レンズパッケージが必要とされている。
【０００３】
本発明のより完全な理解のため、ここで、添付図面と共に考慮される、以下の例示的な実施形態の詳細な説明を参照する。
【０００４】
〔発明の詳細な説明〕
本発明は、眼科用レンズパッケージを含む。前記眼科用レンズパッケージは、第１の端部および第２の端部を有する第１のシェル部材と、第１の端部および第２の端部を有する第２のシェル部材であって、前記第１のシェル部材および前記第２のシェル部材は、閉位置と開位置との間で互いに対して旋回可能であり、前記閉位置において、前記第１のシェル部材および前記第２のシェル部材は、取り外し可能に互いに付着し、前記開位置において、前記第１のシェル部材および前記第２のシェル部材は、互いから離れるように旋回される、第２のシェル部材と、第１および第２の部材の前記第１の端部において前記第１の部材および第２の部材を接続するための接続手段と、前記第１のシェル部材および前記第２のシェル部材がその閉位置にある時に前記第１のシェル部材と前記第２のシェル部材との間に挿入される容器であって、前記容器は、眼科用レンズおよび所与の量の溶液を受容し、かつ収容するように構成されている、容器と、を含む。本明細書中に用いられるように、「眼科用レンズ（ophthalmic lens）」という用語は、ソフトコンタクトレンズ、ハードコンタクトレンズ、眼内レンズ、オーバーレイレンズ、好適にはソフトコンタクトレンズを含むが、これらに限定されない、眼上に配置されるデバイスを指す。
【０００５】
図１、図２および図３を参照すると、コンタクトレンズパッケージ１０は、一対のシェル部材１２および１４と、一対の半球形状の吸収性部材１６および１８とを含む。シェル部材１２および１４、ならびに吸収性部材１６および１８の機能については、本明細書中後述する。シェル部材１２は、円形状本体２０と、本体２０から半径方向に延びる半円形状タブ２２とを含み、これにより梨形状（pear shape）を形成する。同様に、シェル部材１４は、円形状本体２４と、本体２４から半径方向に延びる半円形状タブ２６とを含み、これにより梨形状を形成する。好適には、シェル部材１２および１４は、サイズおよび形状が互いに同一である。シェル部材１２および１４が相互に付着するとき（すなわち、パッケージ１０が閉位置にあるとき）、これらのタブ２２および２６は相互に並置され、これについては、本明細書中より詳細に後述する。また、タブ２２および２６の機能についても本明細書中後述する。
【０００６】
ここで図１、図２、図３および図４を参照すると、シェル部材１２の本体２０は、円形状の凹状のキャビティ２８と、本体２０の外辺の周囲を延びる環状フランジ３０とを含む（図４を参照）。同様に、シェル部材１４の本体２４は、円形状の凹状のキャビティ３２と、本体２４の外辺の周囲を延びる環状フランジ３４とを含む。シェル部材１２および１４は、好適にはヒートシールによって、フランジ３０および３４において取り外し可能に相互に付着される。あるいは、他の付着手段（例えば、接着剤、誘導シーリング（induction sealing）、または音波溶接（sonic welding））を用いて、シェル部材１２および１４を、そのフランジ３０および３４において相互に付着させてもよい。不透性シール（図示せず）がフランジ３０とフランジ３４との間に形成され、これにより、パッケージ１０から溶液が損失または蒸発するのを回避し、パッケージ１０の内容物が異物（例えば、破片およびほこりの粒子）で汚染されるのを回避する。フランジ３０は、本体２０の端部３６において先端を切断され（truncated）、フランジ３４は、本体２４の端部３８において先端を切断され、これにより、リビングヒンジ（living hinge）４０を形成する。前記ヒンジ４０の機能については、本明細書中後述する。図示のように、端部３６および３８は、それぞれタブ２２および２６の反対側に位置しており、これは、端部３６および３８の好適な場所である。しかし、本発明は、フランジ３０および３４上の他の位置に端部３６および３８を位置付けることを企図する。
【０００７】
図１、図２および図３を参照すると、シェル部材１２のタブ２２は、複数の円形状隆起部４２を含む。これらの隆起部４２はそれぞれ、タブ２２の外面４４から突出する。同様に、シェル部材１４のタブ２６は、複数の円形状隆起部４６を含む。これらの隆起部４６はそれぞれ、タブ２６の外面４８から突出する。好適には、タブ２２および２６が相互に並置されると、隆起部４２のパターンは、隆起部のパターンと一致する。隆起部４２および４６の機能については、本明細書中後述する。あるいは、パッケージ１０は、隆起部４２および４６を含まなくてもよい。
【０００８】
ここで図４を参照すると、タブ２２は、一対の弓形形状の凸状帯部５０および５２を含む。これらの帯部５０および５２はそれぞれ、タブ２２の内面５４にわたって横方向に延びる。タブ２６は、一対の弓形形状の凹状の溝部５６および５８を含む。これらの溝部５６および５８はそれぞれ、タブ２６の内面６０にわたって横方向に延びる。帯部５０および溝部５６は、タブ２２および２６が互いに並置された際、互いに噛み合うようにサイズ決めされ、かつ成形される。同様に、帯部５２および溝部５８は、タブ２２および２６が互いに並置された際、互いに噛み合うようにサイズ決めされ、かつ成形される。好適には、帯部５０および溝部５６は、ヒートシールによって互いに噛み合う構成で保持される。同様に、帯部５２および溝部５６は、ヒートシールによって互いに噛み合う構成で保持される。あるいは、接着剤、誘導シーリング、または音波溶接などの他の取付手段を用いてもよい。好適には、タブ２２は、２個の帯部５０および５２を含むが、２個よりも多いかまたは少ない個数の帯部を含んでもよい。同様に、タブ２６は、好適には２個の溝部５６および５８を含むが、２個よりも多いかまたは少ない個数の溝部を含んでもよい。あるいは、パッケージ１０は、帯部５０および５２、ならびに溝部５６および５８を含まなくてもよい。
【０００９】
ここで図３および図４を参照すると、吸収性部材１６はキャビティ２８内に位置付けられ、吸収性部材１８はキャビティ３２内に位置付けられる。吸収性部材１６のサイズおよび形状は、吸収性部材１６がキャビティ２８中にぴったりと嵌ることを可能にするように、キャビティ２８のサイズおよび形状と実質的に同様であるのが好適である。同様に、吸収性部材１８のサイズおよび形状は、吸収性部材１８がキャビティ３２中にぴったりと嵌ることを可能にするように、キャビティ３２のサイズおよび形状と実質的に同様であるのが好適である。また、吸収性部材１６および１８それぞれのサイズおよび形状は、パッケージ１０の形状を維持する点に留意されたい。詳細には、吸収性部材１６は、シェル部材１２の本体２０のサイズおよび形状を維持し、吸収性部材１８は、シェル部材１４の本体２４のサイズおよび形状を維持する。吸収性部材１６は、好適には当該分野において既知の接着剤によって、キャビティ２８の内面６２に取り付けられる。同様に、吸収性部材１８は、好適には当該分野において既知の接着剤によって、キャビティ３２の内面６４に取り付けられる。あるいは、吸収性部材１６および１８それぞれを各キャビティ２８および３２に取り付けなくてもよい。好適には、吸収性部材１６および１８は、分離しており、かつ個別のものである。あるいは、パッケージ１０は、単一の壊れやすい吸収性部材（図示せず）を含んでもよく、これについては、本明細書中より詳細に後述する。
【００１０】
さらに図３および図４を参照すると、吸収性部材１６は、自身の露出面６８の中央に形成された円形状陥凹部６６を含む。同様に、吸収性部材１８は、自身の露出面７２の中央に形成された円形状陥凹部７０を含む。シェル部材１２および１４が相互に付着すると（すなわち、パッケージ１０が閉位置に来ると）、陥凹部６６および７０は、コンタクトレンズ７６（図４を参照）を収容する中央チャンバ７４（図３を参照）を形成する。吸収性部材１６および１８には、コンタクトレンズ溶液（図示せず）がしみ込んでいる。コンタクトレンズ溶液は、コンタクトレンズ保存に有用な任意の既知の溶液（例えば、食塩水、水、または緩衝水溶液）であってよく、これにより、コンタクトレンズ７６を飽和状態に維持する。前記溶液は水性食塩水であることが好適である。チャンバ７４は、コンタクトレンズ溶液（図示せず）で部分的にまたは完全に満たされてよい。チャンバ７４の好適な内部容積は、コンタクトレンズ７６と、コンタクトレンズ７６を飽和状態に維持しかつレンズ７６の意図される形状および柔軟性（softness）（すなわち、凸状形状）を保持するための十分なコンタクトレンズ溶液とを収容するのに十分な容積である点に留意されたい。
【００１１】
シェル部材１２の本体２０およびキャビティ２８、ならびにシェル部材１４の本体２４およびキャビティ３２はそれぞれ、好適には半円形状であるが、これらはそれぞれ、他の形状およびサイズから成ることができる点に留意されたい。また、タブ２２および２６はそれぞれ、好適には半円形状であるが、これらはそれぞれ、他の形状およびサイズから成ることができる。同様に、吸収性部材１６および１８はそれぞれ、好適には半円形状であるが、他の形状およびサイズから成ることができる。また、吸収性部材１６および１８の陥凹部６６および７０はそれぞれ、好適には円形状であるが、これらはそれぞれ、他の形状およびサイズから成ることができる。
【００１２】
シェル部材１２および１４はそれぞれ、好適には、ホイル／ポリマーの積層物または共押し出し物（foil/polymer laminate or coextrusion）から製造され、アルミニウムなどの金属層、および、その金属層をコーティングする、ポリプロピレンなどのポリマー層を含む。あるいは、シェル部材１２および１４を他の材料（例えば、積層物または共押し出し物に形成された、多様なバリア特性およびシーリング特性を備えたポリマーの組み合わせ物）から製造することもできる。吸収性部材１６および１８のそれぞれは、好適には、吸収性スポンジ材料（例えば、メドトロニック・ゾームド・インコーポレイティッド（Medtronic Xomed, Inc）製のメロセル（ＭＥＲＯＣＥＬ）（登録商標）ブランドのポリビニルアルコール（ＰＶＡ）スポンジ）から製造される。前記吸収性部材はそれぞれ、他の材料から製造してもよい。前記吸収性部材の材料は、約５００μＬ〜約１５００μＬの溶液、より好適には、約９００μＬ〜約１、０００μＬの溶液を吸収可能であるべきである。
【００１３】
図４を参照して、パッケージ１０の開封を以下のようにして行う。ユーザは、自身の１本もしくは複数の指、または他の手段を用いて、タブ２２および２６をその並置位置から分離する。隆起部４２および４６により、ユーザは、タブ２２および２６を分離する際にタブ２２および２６のよりよいグリップを維持することができる。次に、ユーザは、タブ２２および２６それぞれを同時に引いて、シェル部材１２および１４を剥がし、このためシェル部材はヒンジ４０において旋回し、したがって、帯部５０および５２と、溝部５６および５８との間のシールと、フランジ３０と３４との間のシールとを破る。帯部５０および５２と、溝部５６および５８との間のシールにより、パッケージ１０が閉位置にある際にパッケージ１０が不注意に開口することを回避する。シェル部材１２および１４は、ユーザがそれらのシェル部材を互いから離して容易に剥離させることができるように十分に可撓性を有するという点は注目すべきことである。また、シェル部材１２とシェル部材１４との間のシール強度は、ユーザがシェル部材１２および１４を互いから離して容易に剥離させることを可能にするのに十分低いが、パッケージ１０からコンタクトレンズ溶液が蒸発すること、またはコンタクトレンズ７６およびコンタクトレンズ溶液が異物によって汚染されることを防ぐようにパッケージ１０が液密シール部を保持するのに十分に強い点も注目すべきである。前記シールが破れ、シェル部材１２および１４が分離されると、コンタクトレンズ７６が露出し、ユーザにとってアクセスしやすくなる。
【００１４】
上述したように、吸収性部材１６および１８は、好適には、分離した個別の部材である。あるいは、パッケージ１０は、単一の壊れやすい吸収性部材を含み得る。この部材は、パッケージ１０が上述した様式で開封されたときに、その部材の中間軸（図示せず）に沿った弱化部（weakened section）において引き裂かれうる。
【００１５】
本明細書中説明した実施形態はひとえに例示的なものであり、当業者であれば、本発明の意図および範囲から逸脱することなく多くの改変および変更を行うことが可能であることが理解されるであろう。具体的には、本発明は、単一の眼科用レンズおよび所与の量の溶液の収容に使用するように構成されてきた。しかし、本発明は、複数の眼科用レンズおよび当該レンズ用の所与の量の溶液を収容するために用いることができる。本発明のさらなる特徴および利点については、本発明の例示的な実施形態の詳細な説明を読めばより明らかとなる。この実施形態は、添付図面に関してほんの一例として以下に示される。このような改変および変更は全て、添付の特許請求の範囲で定められるような本発明の範囲に含まれることが意図される。
【００１６】
〔実施の態様〕
（１）  眼科用レンズパッケージにおいて、
第１の端部および第２の端部を有する第１のシェル部材と、
第１の端部および第２の端部を有する第２のシェル部材であって、
前記第１のシェル部材および前記第２のシェル部材は、閉位置と開位置との間で互いに対して旋回可能であり、前記閉位置において、前記第１のシェル部材および前記第２のシェル部材は、取り外し可能に互いに付着し、前記開位置において、前記第１のシェル部材および前記第２のシェル部材は、互いから離れるように旋回される、
第２のシェル部材と、
前記第１の部材および前記第２の部材をそれら部材の前記第１の端部において接続するための接続手段と、
前記第１のシェル部材および前記第２のシェル部材がそれら部材の前記閉位置にある間に前記第１のシェル部材と前記第２のシェル部材との間に挿入される容器であって、前記容器は、眼科用レンズおよび所与の量の溶液を受容し、かつ収容するように構成される、容器と、
を含む、パッケージ。
（２）  実施態様１に記載のパッケージにおいて、
前記第１のシェル部材の前記第１の端部は、前記第１のシェル部材の前記第２の端部の反対側に位置し、
前記第２のシェル部材の前記第１の端部は、前記第２のシェル部材の前記第２の端部の反対側に位置する、パッケージ。
（３）  実施態様１に記載のパッケージにおいて、
前記第１のシェル部材および前記第２のシェル部材を互いから分離し、かつ、前記第１のシェル部材および前記第２のシェル部材をそれら部材の前記閉位置からそれら部材の前記開位置へと旋回させるための手段、
をさらに含む、パッケージ。
（４）  実施態様３に記載のパッケージにおいて、
前記分離手段は、
前記第１のシェル部材の第２の端部から延びる第１のタブと、
前記第２のシェル部材の第２の端部から延びる第２のタブと、
を含み、
前記第１および第２のタブは、前記第１のシェル部材および前記第２のシェル部材がそれら部材の前記閉位置にある際に、相互に並置される、パッケージ。
（５）  実施態様４に記載のパッケージにおいて、
前記第１のタブの露出面から突出する第１の複数の隆起部と、
前記第２のタブの露出面から突出する第２の複数の隆起部と、
をさらに含み、
前記第１の複数の隆起部および前記第２の複数の隆起部は、並置された前記タブを手で握ることを可能にするようにサイズ決めされ、かつ成形される、パッケージ。
（６）  実施態様５に記載のパッケージにおいて、
前記第１のタブは、前記第１のタブの前記露出面の反対側にある前記第１のタブの内面にわたって延びる少なくとも１つの帯部を含み、
前記第２のタブは、前記第２のタブの前記露出面の反対側にある前記第２のタブの内面にわたって延びる少なくとも１つの溝部を含み、
前記少なくとも１つの帯部は、前記第１のタブおよび前記第２のタブが相互に並置された際に、前記少なくとも１つの溝部と互いに噛み合うようにサイズ決めされ、成形され、かつ位置付けられる、パッケージ。
（７）  実施態様１に記載のパッケージにおいて、
前記接続手段は、前記第１のシェル部材および前記第２のシェル部材と一体に形成されたヒンジを含む、パッケージ。
（８）  実施態様１に記載のパッケージにおいて、
前記第１のシェル部材および前記第２のシェル部材はそれぞれ、
キャビティと、
前記キャビティの外辺の周囲に延びる環状フランジと、
を含み、
前記第１のシェル部材および前記第２のシェル部材は、前記フランジにおいて、取り外し可能に互いに付着される、パッケージ。
（９）  実施態様８に記載のパッケージにおいて、
前記容器は、
前記第１のシェル部材内に嵌められた第１の吸収性部材と、
前記第２のシェル部材内に嵌められた第２の吸収性部材と、
を含み、
前記第１の吸収性部材および前記第２の吸収性部材はそれぞれ、陥凹部を有し、
前記陥凹部は、前記第１のシェル部材および前記第２のシェル部材がそれら部材の前記閉位置にある際に、眼科用レンズおよび所与の量の溶液を収容するためのチャンバを形成する、パッケージ。
（１０）  実施態様９に記載のパッケージにおいて、
前記第１の吸収性部材は、前記第１のシェル部材のキャビティの内面内に嵌められ、かつ前記内面に取り付けられる、パッケージ。
【００１７】
（１１）  実施態様９に記載のパッケージにおいて、
前記第２の吸収性部材は、前記第２のシェル部材のキャビティの内面内に嵌められ、かつ前記内面に取り付けられる、パッケージ。
（１２）  実施態様９に記載のパッケージにおいて、
前記第１の吸収性部材は、前記第１のシェル部材のキャビティの内面内に嵌められ、かつ前記内面に取り付けられ、
前記第２の吸収性部材は、前記第２のシェル部材のキャビティの内面内に嵌められ、かつ前記内面に取り付けられる、パッケージ。
（１３）  実施態様８に記載のパッケージにおいて、
前記容器は、
吸収性部材であって、
前記第１のシェル部材の前記キャビティに取り付けられた第１の表面、
前記第２のシェル部材の前記キャビティに取り付けられた第２の表面、ならびに、
前記第１のシェル部材および前記第２のシェル部材がそれら部材の前記閉位置にある際に、眼科用レンズおよび所与の量の溶液を収容するためのチャンバ、
を有し、
前記吸収性部材は、前記第１のシェル部材および前記第２のシェル部材がそれら部材の前記閉位置からそれら部材の前記開位置へと旋回すると、裂けることができ、これにより、前記チャンバを開口し、前記眼科用レンズを露出させる、
吸収性部材、
を含む、パッケージ。
（１４）  実施態様１２に記載のパッケージにおいて、
コンタクトレンズと、
約５００μＬ〜約１５００μＬの溶液と、
をさらに含む、パッケージ。
（１５）  実施態様１４に記載のパッケージにおいて、
前記第１のシェル部材および前記第２のシェル部材を互いから分離し、かつ、前記第１のシェル部材および前記第２のシェル部材をそれら部材の前記閉位置からそれら部材の前記開位置へと旋回させる手段、
をさらに含む、パッケージ。
（１６）  実施態様１５に記載のパッケージにおいて、
前記分離手段は、
前記第１のシェル部材の第２の端部から延びる第１のタブと、
前記第２のシェル部材の第２の端部から延びる第２のタブと、
を含み、
前記第１のタブおよび前記第２のタブは、前記第１のシェル部材および前記第２のシェル部材がそれら部材の前記閉位置にある際に、相互に並置される、パッケージ。
（１７）  実施態様１６に記載のパッケージにおいて、
前記第１のタブの露出面から突出する第１の複数の隆起部と、
前記第２のタブの露出面から突出する第２の複数の隆起部と、
をさらに含み、
前記第１の複数の隆起部および前記第２の複数の隆起部は、並置された前記タブを手で握ることを可能にするようにサイズ決めされ、かつ成形される、パッケージ。
（１８）  実施態様１７に記載のパッケージにおいて、
前記第１のタブは、前記第１のタブの前記露出面の反対側にある前記第１のタブの内面にわたって延びる少なくとも１つの帯部を含み、
前記第２のタブは、前記第２のタブの前記露出面の反対側にある前記第２のタブの内面にわたって延びる少なくとも１つの溝部を含み、
前記少なくとも１つの帯部は、前記第１のタブおよび前記第２のタブが相互に並置された際に、前記少なくとも１つの溝部と互いに噛み合うようにサイズ決めされ、成形され、かつ位置付けられる、パッケージ。
（１９）  実施態様１２に記載のパッケージにおいて、
前記接続手段は、前記第１のシェル部材および前記第２のシェル部材と一体に形成されたヒンジを含む、パッケージ。
（２０）  実施態様１２に記載のパッケージにおいて、
前記第１のシェル部材および前記第２のシェル部材はそれぞれ、
キャビティと、
前記キャビティの外辺の周囲に延びる環状フランジと、
を含み、
前記第１のシェル部材および前記第２のシェル部材は、前記フランジにおいて、取り外し可能に互いに付着される、パッケージ。
【図面の簡単な説明】
【００１８】
【図１】図１は、本発明の例示的実施形態に従って構成されたコンタクトレンズパッケージが閉位置にある様子を示す上面斜視図である。
【図２】図２は、図１のコンタクトレンズパッケージの上方正面図である。
【図３】図３は、切断線３−３に沿った断面図であり、図１に示すコンタクトレンズパッケージの、矢印方向に見た図である。
【図４】図４は、図１に示すコンタクトレンズパッケージが開位置にある様子を示す上面斜視図である。
【図１】
2008535002.tif 000003
【図２】
2008535002.tif 000004
【図３】
2008535002.tif 000005
【図４】
2008535002.tif 000006
【国際調査報告】
2008535002.tif 000007
2008535002.tif 000008
2008535002.tif 000009
2008535002.tif 000010
2008535002.tif 000011